(57)【要約】【課題】収容した所定電圧値の電池における供給電流値を調整可能な電池ボックスを提供する。【課題の解決手段】電池ボックスは、電池１０ａ，１０ｂ，１０ｃを着脱可能に収容するとともに、収容した電池１０ａ，１０ｂ，１０ｃの正負両極と電気的に接続されて外部に給電するための出力端子１２を備えた絶縁性材からなる収容部本体２と、この収容部本体２に着脱可能な絶縁性材からなる蓋体と、収容部本体２内に収容される電池１０ａ，１０ｂ，１０ｃと同一大で内部には抵抗素子とヒューズを有し、収容部本体２に電池１０ａ，１０ｂ，１０ｃ及び出力端子１２と電気的に接続されるよう設けられた抵抗器４とを備えてなる。【選択図】    図３
0003158039.tif 000002
【実用新案登録請求の範囲】
【請求項１】
電池を着脱可能に収容するとともに、収容した電池の正負両極と電気的に接続されて外部に給電するための出力端子を備えた絶縁性材からなる収容部本体と、この収容部本体に着脱可能な絶縁性材からなる蓋体と、前記収容部本体内に収容される電池と同一大で内部には抵抗素子を有し、前記収容部本体に前記電池及び出力端子と電気的に接続されるよう設けられた抵抗器とを備えてなることを特徴とする電池ボックス。
【請求項２】
前記抵抗器は、その内部に抵抗素子に接続されたヒューズを有することを特徴とする請求項１記載の電池ボックス。
【考案の詳細な説明】
【技術分野】
【０００１】
本考案は、照明器具などの各種機器の電源として使用する電池を収納する電池ボックスに関し、特に、抵抗器を備えた電池ボックスに関する。
【背景技術】
【０００２】
従来から、電池を着脱可能に収容する電池ボックスは各種知られている（例えば特許文献１、特許文献２）。
【先行技術文献】
【特許文献】
【０００３】
【特許文献１】特開平８−２５００８８号公報
【特許文献１】特開２００７−３１７４０７号公報
【考案の概要】
【考案が解決しようとする課題】
【０００４】
ところが、従来の電池ボックスは、単に電池を着脱可能に収容して、電源として使用されるに過ぎないものであり、例えば、照明器具の電源として使用される場合に、明るさの調節を行なう構成要素は別途設けなければならず、煩雑であるという不都合があった。本考案は、このような事情に鑑みてなされたもので、所定電圧値の電池における供給電流値を調整可能な電池ボックスを提供することを目的とする。
【課題を解決するための手段】
【０００５】
この目的を達成するため、本考案に係る電池ボックスは、電池を着脱可能に収容するとともに、収容した電池の正負両極と電気的に接続されて外部に給電するための出力端子を備えた絶縁性材からなる収容部本体と、この収容部本体に着脱可能な絶縁性材からなる蓋体と、前記収容部本体に収容される電池と同一大で内部には抵抗素子を有し、前記収容部本体に前記電池と電気的に接続されるよう設けられた抵抗器とを備えてなるものである。
【０００６】
また、前記抵抗器は、その内部に抵抗素子に接続されたヒューズを有すると好適である。
【考案の効果】
【０００７】
本考案に係る電池ボックスによれば、抵抗器の抵抗値に応じて、収容した特定電圧値の電池の供給電流値を変えることが可能となり、また、抵抗値の異なる抵抗器を備えた電池ボックスを用意することによって、同一電圧の電池を収容しても、特別な調整要素を別途設けることなく、抵抗器の抵抗値を選択することによって所望の供給電流値を得ることができるという効果を奏する。また、抵抗器内に抵抗素子とともにヒューズを設けた場合は、過電流の供給を阻止することができるという効果を奏する。
【図面の簡単な説明】
【０００８】
【図１】電池ボックスの正面図。
【図２】同じく平面図。
【図３】電池を収容した収容部本体の正面図。
【図４】蓋体の側面図。
【図５】抵抗器の内部を示す断面図。
【考案を実施するための形態】
【０００９】
以下、本考案に係る電池ボックスの好適な実施形態を添付図面に基づいて説明する。図１〜図３に示すように、電池ボックス１は、絶縁性材たる合成樹脂製で電池を着脱可能に収納する収容部本体２と、この収容部本体２に対して着脱可能な同じく絶縁性材たる合成樹脂製の蓋体３と、前記収容部本体２内に設けた正接点８ａと負接点９ａに接着などの手段で固定された抵抗器４を備えている。
【００１０】
収容部本体２には、底面に２つの四角形状の係合孔５ａ，５ｂを透設する一方、上端部正面側に挿入口６を開口し、この挿入口６の奥には係止坂７を設けている。前記収容部本体２の内部には、３本の単３形の電池１０ａ，１０ｂ，１０ｃを着脱可能に収容すべく、各電池１０ａ，１０ｂ，１０ｃの正極に接触する正接点８ｂ，８ｃ，８ｄと、各電池１０ａ，１０ｂ，１０ｃの負極に接触するコイルバネ状の負接点９ｂ，９ｃ，９ｄを、底面においては正接点８ａ，８ｃと負接点９ｂ，９ｄが交互に位置するように、また、天面においては、負接点９ａ，９ｃと正接点８ｂ，８ｄが交互に位置するように、配置されている。
【００１１】
上述の各正接点８ａ，８ｂ，８ｃ，８ｄ及び負接点９ａ，９ｂ，９ｃ，９ｄは、抵抗器４と各電池１０ａ，１０ｂ，１０ｃが直列に接続されるように、電気的に結線されるとともに、オンオフスイッチ１１を介して外部に給電するための出力端子たるジャック１２に結線されている。なお、前記オンオフスイッチ１１は、図１〜図３の図示状態において、オフ状態にあり、その右端側を押動することによってオン状態に切り替わるものである。
【００１２】
一方、蓋体３には、図４に示すように、その上端に側面倒Ｕ字状の弾発片１３を一体的に形成し、この弾発片１３は上方に立ち上がった摘み部１４と、収容部本体２の係止板７に係止するための係止突起１５を有している。また、この蓋体３の下端には、収容部本体２の係合孔５ａ，５ｂにそれぞれ係合するための係合板１６（一つのみ図示）を突設している。
【００１３】
図５に示すように、抵抗器４は、収容部本体２に収容される単３形の電池と同一形状、同一大の容器１７内に、抵抗素子１８とヒューズ１９を直列に接続してなる。そして、前記抵抗素子１８側は負接点９ａと接続され、前記ヒューズ１９側は正接点８ａと接続されている。この抵抗器４は、収容部本体２内に各電池１０ａ，１０ｂ，１０ｃが所定状態で装着されると、これら電池１０ａ，１０ｂ，１０ｃ及びオンオフスイッチ１１とともに、直列電源回路を構成するものである。
【００１４】
本実施形態は以上のように構成したので、図１状態において、蓋体３の摘み部１４を下方に押して、係止突起１５と収容部本体２の係止板７との係止状態を解除し、弾発片１３を挿入口６から引き出した後、各係合板１６を収容部本体２の各係合孔５ａ，５ｂから脱却することにより、蓋体３を収容部本体２から外すことができる。
【００１５】
そして、図３状態のように、各電池１０ａ，１０ｂ，１０ｃを収容部本体２内に所定状態で装着し、蓋体３を上述とは反対に、各係合板１６を収容部本体２の各係合孔５ａ，５ｂに係合した後、摘み部１４を押し下げるようにして弾発片１３を撓ませた状態で挿入口６内に押し込み、摘み部１４に対する押し下げ力を解除すると、弾発片１３は元状態に復帰して係止突起１５が係止板７に係止し、蓋体３は収容部本体２に装着された図１状態となる。
【００１６】
上述の電池１０ａ，１０ｂ，１０ｃを装着した閉蓋状態において、ジャック１２に給電すべき機器（図示せず）の入力プラグ（図示せず）を挿入し、オンオフスイッチ１１をオン状態に切り替えれば、前記機器に給電することができる。この給電にあたって、過電流が流れた場合には、抵抗器４のヒューズ１９が切れて、前記機器に対して過電流が供給されるのを阻止することが可能である。また、抵抗値の異なる抵抗素子１８を設けた抵抗器４を備えた電池ボックス１を用意することによって、前記機器に、単３形電池３本という同一電圧の電源から異なった電流を供給することができる。したがって、前記機器が、例えばＬＥＤ照明具の場合には、所望の抵抗値の抵抗素子１８を設けた抵抗器４の電池ボックス１を選択することによって、所望の明るさを得ることができる。
【００１７】
なお、本考案は上述の実施形態に限定されるものではなく、例えば、収容部本体２内に収容する電池は３本に限らないほか、単３形に限らず、単２形や単４形でもよい。また、収容部本体２に蓋体３を脱着可能に取付ける機構はいかなる構成でもよく、上述のものに限らない。さらに、抵抗器４は必ずしもヒューズ１９を備える必要はない。
【符号の説明】
【００１８】
１      電池ボックス
２      収容部本体
３      蓋体
４      抵抗器
５ａ，５ｂ      係合孔
６      挿入口
７      係止板
８ａ，８ｂ，８ｃ，８ｄ      正接点
９ａ，９ｂ，９ｃ，９ｄ      負接点
１０ａ，１０ｂ，１０ｃ      電池
１１      オンオフスイッチ
１２      ジャック
１３      弾発片
１４      摘み部
１５      係止突起
１６      係合板
１７      容器
１８      抵抗素子
１９      ヒューズ
【図１】
0003158039.tif 000003
【図２】
0003158039.tif 000004
【図３】
0003158039.tif 000005
【図４】
0003158039.tif 000006
【図５】
0003158039.tif 000007